(57)【要約】【課題】  鍋から鍋ぶたを取って調理場所のどこかに置く場合、付着している水分がなるべく落ちないようにするため、従来は裏返して置いていた。そのため、調理場所の広い部分を占めてしまい、調理場所が効率良く使えなかった。また、鍋ぶたには摘みが付いているため、裏返しても或る程度傾き、置いた場所に水が伝い落ち、そこを汚していた。【解決手段】  棒体３の一端に摘み取付部２を屈曲自在に設け、他端に係合部４を設けて、鍋ぶた支持具１を構成する。摘み取付部２は、鍋ぶたの外側中央部分に付けられている摘みの首に、予め固着しておく。鍋ぶたを開ける際は、鍋ぶたをほぼ垂直に立て、係合部４を鍋の縁に係合し、立てた鍋ぶたの下端付近を鍋本体の縁の２箇所に接触するようにして置く。鍋ぶたを置くのに調理場所を占めることはなくなり、付着している水分は全て鍋本体の中に落ち、調理場所を汚すことがない。【選択図】        図１
0003110988.tif 000002
【実用新案登録請求の範囲】
【請求項１】
棒体と、
該棒体の一端に該棒体に対し屈曲自在に設けられ、鍋ぶたの摘みの首に取り付けるための摘み取付部と、
前記棒体の他端に設けられ、鍋本体の縁と係合するための係合部と
から成ることを特徴とする鍋ぶた支持具。
【請求項２】
棒体を、長さ調節自在の構造のものとしたことを特徴とする請求項１記載の鍋ぶた支持具。
【考案の詳細な説明】
【技術分野】
【０００１】
本考案は、鍋ぶたに付いている水分が鍋の中に落下するような形で、鍋ぶたを支持するようにする鍋ぶた支持具に関するものである。
【背景技術】
【０００２】
鍋で物を煮ている際に、途中で調味料を入れるために、鍋ぶたを開けることがある。或いは、加熱調理が終わり、出来上がった煮物を皿に盛るため、鍋ぶたを開けることがある。このような場合、鍋ぶたの内側には多くの水分が付いているので、鍋ぶたが傾けられた時には、調理場所（コンロ，調理台あるいは台所の床等）に水がしたたり落ちていた。
そのため、そのような所に水がしたたり落ちるのを避けるには、鍋ぶたを鍋本体の上空に持ち上げ、１，２度振って水分をあらかた鍋本体の中に落とし、それから鍋ぶたを裏返して、調理台等の上に置くというようなことが行われていた。
【考案の開示】
【考案が解決しようとする課題】
【０００３】
（問題点）
しかしながら、前記のように鍋ぶたを取り扱ったとしても、次のような問題点があった。
第１の問題点は、調理場所のどこかに、鍋ぶたを置くための広い場所を常に確保しておく必要があるので、調理場所が効率良く使えないという点である。
第２の問題点は、鍋ぶたを裏返して調理場所のどこかに置く際にも、やはり或る程度の水分は落ちるので、それを拭いたりする手間がかかるという点である。
【０００４】
（問題点の説明）
まず第１の問題点について説明する。鍋ぶたを裏返したまま置く場合、鍋ぶたとほぼ同じ面積の広さを必要とする。しかし、通常、調理場所にはいろいろな調理道具や調味料、および調理中の材料（肉，魚，野菜等）が置いてあり、何にも置いてない場所というのはそんなに広くはない。従って、一般に鍋ぶたを置こうとする場合には、それらを片寄せて広い場所を開け、そこに置くことになる。そうすると、調理場所は窮屈となり、調理を効率良く行うことが出来なくなる。
【０００５】
次に第２の問題点について説明する。鍋ぶたには外側中央に摘みが付いているから、裏返しに置いた場合、その摘みの高さの分だけ傾いて置かれることになる。すると、鍋ぶたにまだ付いている水分が徐々に流れ下って来て、置いてある場所に落ちる。そのため、鍋ぶたを元の鍋に戻した後、落ちている水を布巾で拭いたりするという後始末をする必要があった。
本考案は、以上のような問題点を解決することを課題とするものである。
【課題を解決するための手段】
【０００６】
前記課題を解決するため、本考案では、棒体と、該棒体の一端に該棒体に対して屈曲自在に設けられ、鍋ぶたの摘みの首に取り付けるための摘み取付部と、前記棒体の他端に設けられ、鍋本体の縁と係合するための係合部とから成る鍋ぶた支持具を提供することとした。この鍋ぶた支持具は、摘み取付部を鍋ぶたの摘みに取付けた状態で、次のように使用する。即ち、鍋ぶたを開けた場合、鍋ぶたをほぼ垂直に立て、係合部を鍋の縁に係合すると共に、鍋ぶたの下端付近の２箇所を、鍋本体の縁に接するように置くという具合に使用する。
なお、前記棒体は、異なった大きさの鍋ぶたにも合わせ得るよう、長さ調節自在な構造のものとすることが出来る。
【考案の効果】
【０００７】
本考案の鍋ぶた支持具によれば、次のような効果を奏する。
（１）鍋ぶたを鍋本体の片隅に立てて置くようにするから、調理場所のどこかに、鍋ぶたを置くための広さを確保する必要がなくなる。そのため、調理場所を効率良く使用することが出来るようになる。
（２）鍋ぶたを開けている間は、鍋ぶたに付いている水分が落ちるのは、常に鍋本体の中であるから、調理場所を水で汚すことはない。従って、落ちた水の後始末などという作業がそもそもなくなり、布巾で拭いたりする手間等は一切かからなくなる。
【考案を実施するための最良の形態】
【０００８】
以下、本考案の実施形態を図面に基づいて詳細に説明する。
（第１の実施形態）
図１は、本考案の第１の実施形態を示す図である。図１において、１は鍋ぶた支持具、２は摘み取付部、３は棒体、４は係合部、５はリング体、６はボルト、７はナット、８はフックである。図１（１）は鍋ぶた支持具１の平面図、図１（２）は側面図、図１（３）は鍋ぶた支持具１が屈曲した状態を示す図である。
【０００９】
本考案の鍋ぶた支持具１は、棒体３と、その一端に設けられた摘み取付部２と、他端に設けられた係合部４とから構成される。
摘み取付部２は、例えば、金属製あるいはプラスチック製のリング体５と、それを棒体３の一端に取り付けるための、ボルト６やナット７により構成される。リング体５の輪の大きさは、鍋ぶたの外側中央に付けられている摘みの首の部分が入る大きさとする。これは多少ゆるゆるとなるよう余裕があってもよい。なぜなら、首の上には摘みの頂上部分があるわけであるが、これの径は首の径より相当大きいから、首にゆるゆるに嵌められていても、摘みから外れる恐れはないからである。
なお、ボルト６とナット７はリング体５と棒体３とを連結するためのものであるが、その連結部において、リング体５とナット７とが屈曲自在となるようにしておく。そうしておくことにより、図１（３）のように屈曲が可能となる。
【００１０】
棒体３の他端に設けられる係合部４は、鍋の縁に係合するための部分である。鍋の縁に係合して、鍋ぶたが倒れないようにほぼ垂直の姿勢に支持する役割を有している。従って、係合部４の具体的形状は、鍋の縁の形状に対応したものにする必要がある。図１の係合部４の例は、図２で示すように、鍋の縁が水平方向に張り出している形状である場合に対応させたものであり、フック８の形状としている。
なお、棒体３自体の構造であるが、鍋ぶた１０の大きさ（直径）にはいろいろあるが、大きさが異なる鍋のふたに対し、丁度いい長さに調節し得るような構造としておくことが出来る。長さ調節自在な構造としては、例えばラジカセのアンテナのように、所定の長さに伸縮自在となる構造を採用することが出来る。
【００１１】
図２は、第１の実施形態の鍋ぶた支持具１を鍋に取付けた状態を示す図である。符号は図１のものに対応し、９は鍋本体、９Ａは鍋の縁、１０は鍋ぶた、１１は摘みである。
鍋ぶた支持具１は、摘み取付部２が摘み１１の首に取り付けられた状態で使用される。鍋ぶた１０が鍋本体９に閉じられている場合、鍋ぶた支持具１はほぼ水平に近い姿勢を取らされることになるが、重力がかかるから、棒体３の他端に付いている係合部４の下端が、鍋ぶた１０の表面に接触するところまで屈曲する。この時、係合部４は鍋ぶた１０の外側表面にただ接しているだけである。
【００１２】
図３は、第１の実施形態の鍋ぶた支持具１で鍋ぶた１０を開けて支持した状態を示す図である。このような状態にするには、鍋ぶた１０を手に取って鍋本体９の上空で９０度回転させ、係合部４であるところのフック８の先端を、鍋の縁９Ａの下側に引っ掛ける。そして、鍋ぶた１０をほぼ垂直にして、鍋ぶた１０の下端付近の２箇所を、鍋本体９の内側の縁に接触させるようにして置く。
【００１３】
こうすれば、鍋ぶた１０は、鍋本体９の縁２箇所と、係合部４が引っ掛かっている１箇所との合計３箇所で支持されることになるから、もはや手を放しても安定的に支持される。そして、鍋ぶた１０の内側に付いている水分は、ほぼ垂直になっているその内側を伝って流れ下り、鍋ぶた１０の下端付近から落下するが、その下端付近は既に鍋本体９の内側に臨んでいるから、水の落ち行く先は鍋本体９内である。即ち、他の調理場所に落ちることがない。鍋ぶた１０を手に取って９０度回転させる動作も、鍋本体９の上空で行うから、その動作中に落ちる水も鍋本体９の中に落ちてくれる。
【００１４】
（第２の実施形態）
図４は、鍋の縁が垂直になっている鍋を示す図である。符号は図２のものに対応し、９Ｂは鍋の縁である。図２で示した鍋の縁９Ａは水平方向に張り出していたが、鍋によっては、そういう水平部分がなく、垂直方向に向いたままになっているものもある。図４の鍋は、鍋の縁９Ｂが垂直方向になっているものである。
このような鍋に対しては、鍋ぶた支持具１の係合部４が、第１の実施形態で示したような形状（フック８）では係合し得ないから、係合部４を鍋の縁９Ｂに係合するような別の形態のものとした鍋ぶた支持具１を、用いる必要がある。
【００１５】
図５は、本考案の第２の実施形態を示す図である。符号は図１のものに対応し、１２は挟み体である。この第２の実施形態は、係合部４を、前記したような鍋の縁９Ｂに適合するような形状にしたものである。挟み体１２は、垂直な鍋の縁９Ｂの上方から嵌まり込み、鍋の縁９Ｂの内，外の両側から挟む機能を有するものである。
図６は、第２の実施形態の鍋ぶた支持具１で鍋ぶた１０を開けて支持した状態を示す図である。この場合は、鍋ぶた１０をほぼ垂直に立て、鍋の縁９Ｂに挟み体１２を嵌め込み、鍋ぶた１０の下側付近を鍋本体９の内側の縁の２箇所に接触させるようにして置く。第２の実施形態による作用効果も、第１の実施形態で述べたものと同様である。
【図面の簡単な説明】
【００１６】
【図１】本考案の第１の実施形態を示す図
【図２】第１の実施形態の鍋ぶた支持具を鍋に取付けた状態を示す図
【図３】第１の実施形態の鍋ぶた支持具で鍋ぶたを開けて支持した状態を示す図
【図４】鍋の縁が垂直になっている鍋を示す図
【図５】本考案の第２の実施形態を示す図
【図６】第２の実施形態の鍋ぶた支持具で鍋ぶたを開けて支持した状態を示す図
【符号の説明】
【００１７】
１…鍋ぶた支持具、２…摘み取付部、３…棒体、４…係合部、５…リング体、６…ボルト、７…ナット、８…フック、９…鍋本体、９Ａ，９Ｂ…鍋の縁、１０…鍋ぶた、１１…摘み、１２…挟み体
【図１】
0003110988.tif 000003
【図２】
0003110988.tif 000004
【図３】
0003110988.tif 000005
【図４】
0003110988.tif 000006
【図５】
0003110988.tif 000007
【図６】
0003110988.tif 000008